(57)【要約】【課題】照明部の筐体内の清掃作業が煩雑になるのを抑制できるという優れた効果を得ることができる画像投写装置を提供する。【解決手段】光源１６０と、前記光源から光を変調して画像を生成する画像生成素子３２を有する光変調部３０と、筐体２６内に光学部品が設けられ該光学部品によって前記光源からの光を前記画像生成素子に向けて照射する照明部２０とを備えた画像投写装置１において、前記筐体の壁部に形成された開口２６ａを開閉する、前記筐体に対してスライド移動可能に設けられた開口開閉部材３１を有する。【選択図】図１
2017097157.tif 000002
【特許請求の範囲】
【請求項１】
光源と、
前記光源から光を変調して画像を生成する画像生成素子を有する光変調部と、
筐体内に光学部品が設けられ該光学部品によって前記光源からの光を前記画像生成素子に向けて照射する照明部とを備えた画像投写装置において、
前記筐体の壁部に形成された開口を開閉する、前記筐体に対してスライド移動可能に設けられた開口開閉部材を有することを特徴とする画像投写装置。
【請求項２】
請求項１に記載の画像投写装置において、
前記開口開閉部材は、前記画像生成素子が装着される基板であることを特徴とする画像投写装置。
【請求項３】
請求項２に記載の画像投写装置において、
前記筐体の前記開口が形成された壁部の前記基板と対向する側の面には、前記基板との隙間を塞ぐシール部材が前記開口を囲んで設けられており、前記基板には貫通孔が形成されており、
前記シール部材で囲まれた領域内に前記貫通孔が位置する開位置と、前記シール部材で囲まれた領域外に前記貫通孔が位置する閉位置との間で、前記基板がスライド移動可能であることを特徴とする画像投写装置。
【請求項４】
請求項１乃至３のいずれか一記載の画像投写装置において、
前記筐体に設けられたネジ穴と、前記基板に設けられたスライド移動方向に径が長い長孔と、前記長孔を通して前記ネジ穴に嵌め込まれ前記筐体に前記基板を固定するネジ部材とを有することを特徴とする画像投写装置。
【発明の詳細な説明】
【技術分野】
【０００１】
本発明は、画像投写装置に関するものである。
【背景技術】
【０００２】
従来、画像データに基づいて光を変調する光変調部の画像生成素子に、光源からの光を照明部で照射することにより光変調部で生成された画像を、投影光学部を用いてスクリーンなどに投写して表示する画像投写装置が知られている。
【０００３】
特許文献１には、係る画像投写装置であって、画像生成素子たるＤＭＤが基板上に設けられた光変調部と、光変調部の上に位置しており、レンズやミラーなどの光学部品によって光源からの光を折り返しＤＭＤに照射する照明部とを有するものが記載されている。照明部は、前記光学部品が内部に配置された筐体を有しており、前記筐体の下壁部に開けられた開口にＤＭＤを位置させて前記基板を前記筐体にネジ止めすることで、前記開口が前記基板やＤＭＤによって塞がれた状態で照明部に光変調部が固定される。
【発明の概要】
【発明が解決しようとする課題】
【０００４】
前記筐体には、ＤＭＤのための開口以外にも複数の開口が開けられており、それら開口は、組み立て時に各種部品によって塞がれ組み立て後の前記筐体内は密閉される。そのため、組み立て時に前記筐体内に塵埃が入ってしまうと、組み立て後は前記筐体内に塵埃が留まり、その塵埃がＤＭＤ上に付着すると投写画像に影として現れてしまう。組み立て後の前記筐体内を清掃手段によって清掃をするために、前記開口を塞いでいる部品を前記筐体から一旦取り外して開口を開けると、前記開口の開閉に要する作業に多くの工数がかかってしまい清掃作業が煩雑になってしまう。
【課題を解決するための手段】
【０００５】
上記課題を解決するために、本発明は、光源と、前記光源から光を変調して画像を生成する画像生成素子を有する光変調部と、筐体内に光学部品が設けられ該光学部品によって前記光源からの光を前記画像生成素子に向けて照射する照明部とを備えた画像投写装置において、前記筐体の壁部に開けられた開口を開閉可能なように、前記筐体に対してスライド移動可能に設けられた開閉部材を有することを特徴とする。
【発明の効果】
【０００６】
以上、本発明によれば、照明部の筐体内の清掃作業が煩雑になるのを抑制できるという優れた効果を得ることができる。
【図面の簡単な説明】
【０００７】
【図１】閉位置にＤＭＤボードが位置する状態での照明光学ユニットの断面斜視図。
【図２】プロジェクタと投写面Ｓとを示す外観斜視図。
【図３】プロジェクタの外装カバーを外した内部斜視図。
【図４】光源ユニットを本体筐体に装着する様子を示す斜視図。
【図５】（ａ）本体筐体の上側板金部と、後側板金部と、右側板金部とを取り外したプロジェクタを後側から見た斜視図、（ｂ）プロジェクタの本体筐体内部を示す前側斜視図、（ｃ）投写光学ユニットのミラーブラケットを取り外したプロジェクタの本体筐体内部を示す後側斜視図。
【図６】プロジェクタの内部に設けられた光学エンジン部などを示す斜視図。
【図７】（ａ）光源ユニットの概略斜視図、（ｂ）図７（ａ）に示す矢印ｂ方向から見た斜視図。
【図８】光源筐体の光出射側面部以外を取り外した状態を示す斜視図。
【図９】図７（ａ）の一点鎖線Ａで切った断面図。
【図１０】照明部と投写レンズ部と光変調部とを後側見た斜視図。
【図１１】照明部に収納された光学系部品を光変調部とともに示す図。
【図１２】光変調部の斜視図。
【図１３】光学エンジン部を示す斜視図。
【図１４】投写光学ユニットが備える光学系部品を示す斜視図。
【図１５】投写レンズ部から投写面までの光路を示す斜視図。
【図１６】照明光学ユニットの斜視図。
【図１７】照明光学ユニットの側面図。
【図１８】照明ホルダの上部を開放した照明光学ユニットの斜視図。
【図１９】照明光学ユニットを上方から見た図。
【図２０】照明ホルダ内から凹面ミラーを取り外した照明光学ユニットを上方から見た図。
【図２１】ＤＭＤボードとの隙間を塞ぐシール部材がＤＭＤ開口部を囲んで設けられた照明ホルダを下方から見た図。
【図２２】閉位置にＤＭＤボードが位置する状態での照明光学ユニットの断面側面図。
【図２３】開位置にＤＭＤボードが位置する状態での照明光学ユニットの断面斜視図。
【図２４】ＤＭＤ開口部の下に貫通孔が位置する状態を示す図。
【発明を実施するための形態】
【０００８】
以下、図面を参照して本発明の実施形態を説明する。まず、本発明に係る画像投写装置の全体構成について説明する。図２は、本発明の一実施形態に係る画像投写装置としてのプロジェクタ１とスクリーンなどの投写面Ｓとを示す外観斜視図である。なお、以下の説明では、プロジェクタ１の投写面Ｓ側を後側として説明する。
【０００９】
プロジェクタ１は、パソコンやビデオカメラ等から入力される画像データに基づいて投写画像を形成し、その投写画像をスクリーンなどの投写面Ｓに投写表示する装置である。特に、液晶プロジェクタは、近来、液晶パネルの高解像化、光源（ランプ）の高効率化に伴う明るさの改善、低価格化などが進んでいる。また、微小駆動ミラー装置であるＤＭＤ（Ｄｉｇｉｔａｌ  Ｍｉｃｒｏ−ｍｉｒｒｏｒ  Ｄｅｖｉｃｅ）を利用した小型軽量なプロジェクタ１が普及し、オフィスや学校のみならず家庭においても広くプロジェクタ１が利用されるようになってきている。また、フロントタイプのプロジェクタは、携帯性が向上し、数人規模の小会議にも使われるようになってきている。このようなプロジェクタでは、大画面の画像を投写できること（投写面の大画面化）とともに、「プロジェクタ外に必要とされる投写空間」をできるだけ小さくできることが要請されている。後述のように、本実施形態のプロジェクタ１は、投写レンズ等の投写光学系を投写面Ｓと平行に設定し、折り返しミラーで光束を折り返した後、自由曲面ミラーで光束を投写面Ｓに対して拡大投写するように構成されている。この構成により、光学エンジン部を縦型で３次元的に小型化を図ることができる。
【００１０】
投写画像の光束が、プロジェクタ１の上面から出射し、光束が投写面Ｓに投写される。また、プロジェクタ１の側面には、ピント調整のためのフォーカスレバー４ａが設けられている。
【００１１】
図３はプロジェクタ１の外装カバーを外した状態の斜視図である。図３（ａ）は、前側から見た斜視図であり、図３（ｂ）は、後側から見た斜視図であり、図３（ｃ）は、前側から見て光学エンジン部配置側である右側の側面図である。プロジェクタ１は、後述する光学エンジン部１００や、バラスト基板１２ａなどの各種基板などを保持する本体筐体１４を有している。本体筐体１４は、上側板金部１４ａと、前側板金部１４ｂと、後側板金部１４ｃと、下側板金部１４ｄと、右側板金部１４ｅとを有している。各板金部同士をネジにより固定することで、本体筐体１４を形成している。上側板金部１４ａには、投写画像の光束が通過するための投写開口部１４１が形成されている。前側板金部１４ｂは、バラスト基板ユニットや、メイン電源ユニット８ａなどを保持している。後側板金部１４ｃは、サブ電源ユニット８ｂなどを保持している。また、下側板金部１４ｄは、光学エンジン部などを保持している。また、右側板金部１４ｅには、図３（ｃ）に示すように、複数の吸気口１０ａ〜１０ｃと、フォーカスレバー４ａを操作可能とする操作用開口部１８とが設けられている。
【００１２】
図４は、光源ユニット１５を本体筐体に装着する様子を示す斜視図である。図４に示すように、光源ユニット１５は、プロジェクタ１に対して着脱可能に構成されている。具体的には、本体筐体１４の左側側面には、光源着脱用開口部１４１ｆが形成されている。この光源着脱用開口部１４１ｆは、本体筐体１４の前側板金部１４ｂ、後側板金部１４ｃ、下側板金部１４ｄおよび排気ファン７により形成されている。光源ユニット１５は、本体筐体に対して図中矢印Ｋ方向に押し入れることで、プロジェクタに装着される。また、光源着脱用開口部１４１ｆの上部には、排気ファン７が設けられている。図４に示すように、本実施形態においては、筐体の排気口が、排気ファンの排気口となっている。
【００１３】
図５（ａ）は、本体筐体１４の上側板金部１４ａと、後側板金部１４ｃと、右側板金部１４ｅとを取り外したプロジェクタ１を後側から見た斜視図であり、図５（ｂ）は、プロジェクタ１の本体筐体内部を示す前側斜視図である。また、図５（ｃ）は、投写光学ユニット２のミラーブラケット５３を取り外したプロジェクタ１の本体筐体内部を示す後側斜視図である。
【００１４】
本実施形態では、制御基板やバラスト基板に電力を供給するための電源ユニット８は、光源ユニット１５の上方に配置されている。電源ユニット８は、メイン電源回路基板を備えたメイン電源ユニット８ａと、サブ電源回路基板を備えたサブ電源ユニット８ｂとを有している。メイン電源ユニット８ａは、図５（ａ）に示すように、本体筐体の前側板金部１４ｂに取り付けられており、サブ電源ユニット８ｂは、本体筐体の後側板金部１４ｃに取り付けられている。本実施形態においては、排気ファン７の空気吸い込み口と対向しない位置にメイン電源ユニット８ａ、サブ電源ユニット８ｂが取り付けられている。これにより、メイン電源ユニット８ａ、サブ電源ユニット８ｂが排気ファン７の吸気を阻害することなく、排気ファンの回転数を抑えつつ所望の排気量を得て、光源などの本体筐体内の発熱部品を冷却することができる。
【００１５】
また、プロジェクタ１は、光学エンジン部１００と、白色光を発する光源を有する光源ユニット１５とを備えている。光学エンジン部１００は、光源からの光を用いて画像を形成する画像形成手段としての照明光学ユニット３と、照明光学ユニット３で形成した画像の光束を投写面Ｓに投写するための投写光学ユニット２とを備えている。本体筐体の前側板金部１４ｂの投写光学ユニット２と対向する面には、光源駆動回路基板たるバラスト基板を備えた光源駆動ユニット１２が取り付けられている。また、図５（ｃ）に示すように、投写光学ユニット２と電源ユニット８配置空間とを仕切るように、樹脂板１７０が設けられている。
【００１６】
図６は、プロジェクタ１の内部に設けられた光学エンジン部１００などを示す斜視図である。照明光学ユニット３は、反射面の傾きを変化させるように駆動可能な多数の微小ミラーを有する微小駆動ミラー装置であるＤＭＤを有する光変調部３０と、光源からの光を折り返してＤＭＤに照射する照明部２０とを用いて構成されている。光学エンジン部１００を構成している光変調部３０と照明部２０と投写光学ユニット２とが上下方向に並べて配置されている。また、照明部２０の図中右側には、光源ユニット１５が収納される光源ハウジング７０が配置されている。光源ハウジング７０の上面部には、光源冷却後の空気が排気されるハウジング排気口７０ａが設けられている。
【００１７】
図７（ａ）は、光源ユニット１５の概略斜視図であり、図７（ｂ）は、図７（ａ）に示す矢印ｂ方向から見た斜視図である。光源ユニット１５は、光源１６０を収納した樹脂からなる光源筐体１５１を有している。光源筐体の上面部１５１ａには、光源冷却後の空気が、排気される光源排気口１５２が設けられている。また、図７（ｂ）に示すように、光源筐体１５１の下面部１５１ｂには、後述するように光源筐体内に空気を取り込むための第二光源吸引口１５３が設けられている。また、下面部１５１ｂには、装置本体に設けられた電源コネクタに接続するコネクタ１５４が設けられている。
【００１８】
また、光源筐体１５１の光出射側面部１５１ｃには、光源１６０の光が通過するための開口部１５６を有し、その開口部１５６には、ガラス板１５７が取り付けられている。また、光出射側面部１５１ｃには、２つの光源位置決め突起１５５ａ,１５５ｂが、対角線上に設けられている。これら光源位置決め突起１５５ａ,１５５ｂは、照明部に設けられた光源位置決め穴２６ｃ（図１０参照）に挿入され、光源ユニット１５が、照明部２０に位置決めされる。また、光源ユニット１５の両側面の光出射側と反対側端部には、筐体取り付け部１５１ｄが設けられている（図４参照）。これら筐体取り付け部１５１ｄには、嵌合突起１５１ｅが設けられており、この嵌合突起１５１ｅが、先の図４に示す本体筐体の光源取り付け凹部１４１ｇに設けられた嵌合穴部に嵌ることで、光源ユニット１５が本体筐体１４に取り付けられる。
【００１９】
また、光源筐体１５１の光出射側面部１５１ｃには、光源１６０のリフレクタ内に空気を流入させる流入口１５８ａが設けられている。この流入口１５８ａには、光源１６０の発光管が破裂したときの破片の拡散を防ぐ防爆メッシュ１５９が設けられている。
【００２０】
図８は、光源筐体の光出射側面部１５１ｃ以外を取り外した状態を示す斜視図である。図８に示すように、光源１６０のリフレクタ１６１は、光出射側面部１５１ｃに取り付けられており、この光出射側面部１５１ｃによりリフレクタ１６１の開口部が塞がれている。また、光出射側面部１５１ｃの上部には、リフレクタ１６１内の空気が流出する流出口１５８ｂが設けられている。この流出口１５８ｂにも防爆メッシュ１５９が設けられている。
【００２１】
図９は、図７（ａ）の一点鎖線Ａで切った断面図である。光源１６０は、ハロゲンランプ、メタルハライドランプ、高圧水銀ランプなどの放電ランプであり、高圧の気体を閉じ込めた発光部１６２ａを有する発光管１６２を備えている。また、光源１６０には、発光部１６２ａが発した光を反射する反射部材としてのリフレクタ１６１を備えている。リフレクタ１６１は、すり鉢形状（略円錐形状）をしており、そのリフレクタ１６１の底部に発光管１６２が取り付けられている。また、発光管１６２に接続された電極端子１６３ａ（図８参照）を備えた電極部１６３を有している。電極端子１６３ａは、導線を１６４介して、コネクタ１５４に接続されている。光源１６０の発光部１６２ａから出射した光は、リフレクタ１６１により、光出射側面部１５１ｃの開口部１５６に集光され、ガラス板１５７を透過して光源ユニット１５から出射する。
【００２２】
図１０は、照明部２０と投写レンズ部４と光変調部３０とを後側から見た斜視図であり、図１１は、照明部２０に収納された光学系部品を光変調部３０とともに示す図である。
照明部２０は、図１１に示すように、カラーホイール２１、ライトトンネル２２、２枚のリレーレンズ２３、シリンダミラー２４、凹面ミラー２５を有しており、これらは、図１０に示す照明ホルダ２６に保持されている。カラーホイール２１は、円盤形状のものであり、カラーモータ２１ａの回転部に固定されている。カラーホイール２１には、回転方向にＲ（レッド）、Ｇ（グリーン）、Ｂ（ブルー）などのフィルタが設けられている。ライトトンネル２２は、四角筒形状であり、その内周面が鏡面となっている。
【００２３】
図１０に示すように、照明ホルダ２６の後側側面には、ＯＦＦ光板２７が取り付けられている。また、照明ホルダ２６には、４つの脚部２６ｂを有しており、光源ユニット１５側とは反対側の脚部２６ｂは、図６に示すように、光変調部３０を貫通している。これら４つの脚部２６ｂが、本体筐体１４の下側板金部１４ｄに取り付けられ、光学エンジン部１００の重量を支持している。また、脚部を設けることにより、光変調部３０のＤＭＤ３２を冷却するための冷却手段としてのヒートシンク３３（図１２参照）に、外気が流入するための空間を形成する。
【００２４】
投写レンズ部４は、照明部２０の上方に配置されており、複数のレンズで構成されている。投写レンズ部４は、レンズホルダー４１により保持されており、このレンズホルダー４１には、ネジが貫通する複数の貫通孔４１ａが設けられている。投写レンズ部４は、これら貫通孔４１ａにネジを挿入して、後述する投写光学ユニット２のベース部材５４（図１４（ａ）参照）にネジ止めされる。
【００２５】
また、照明ホルダ２６の光源ユニット側端部には、光源筐体１５１の光出射側面部１５１ｃに設けられた光源位置決め突起１５５ａ,１５５ｂ（図７参照）が挿入される光源位置決め穴２６ｃが設けられている。
【００２６】
また、照明ホルダ２６にはカラーホイール２１を覆い、カラーホイール２１やカラーモータ２１ａの熱を放熱するアルミニウムからなる冷却部材２８が設けられている。また、カラーホイール２１の光源１６０と対向する面を覆うホイールカバー２９が設けられている。ホイールカバー２９には、光源１６０からの光を通過させるための貫通孔２９ａが設けられている。
【００２７】
図１１に示すように、リフレクタ１６１により集光された光は、ガラス板１５７を通って、カラーホイール２１の周端部に到達する。カラーホイール２１の周端部に到達した光は、カラーホイール２１の回転により時分割でＲ、Ｇ，Ｂの光に分離される。カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされてリレーレンズ２３へ向けて出射する。ライトトンネル２２を抜けた光は、２枚のリレーレンズ２３を透過し、シリンダミラー２４、凹面ミラー２５により反射され、ＤＭＤ３２の画像生成面上に集光して結像される。
【００２８】
図１２は、光変調部３０の斜視図である。図１２に示すように光変調部３０は、ＤＭＤ３２が装着される基板であるＤＭＤボード３１を備えている。ＤＭＤ３２は、マイクロミラーが格子状に配列された画像生成面を上向きにしてＤＭＤボード３１に設けられたソケット３１ａに装着されている。ＤＭＤボード３１には、ＤＭＤミラーを駆動するための駆動回路などが設けられている。ＤＭＤボード３１の裏面（ソケット３１ａが設けられた面と反対側の面）には、ＤＭＤ３２を冷却するための冷却手段としてのヒートシンク３３が固定されている。ＤＭＤボード３１のＤＭＤ３２が装着される箇所は、貫通孔が形成されており、ヒートシンク３３には、この貫通孔に挿入される突起部が形成されている。突起部の先端は、平面状になっており、突起部を貫通孔に挿入して、ＤＭＤ３２の裏面（画像生成面と反対側の面）に突起部先端の平面部を当接させている。この平面部やＤＭＤ３２の裏面のヒートシンク３３が当接する箇所に弾性変形可能な伝熱シートを貼り付けて、突起部の平面部とＤＭＤ３２の裏面との密着性を高めて、熱伝導性を高めてもよい。ヒートシンク３３は、固定部材により、ＤＭＤボード３１のソケット３１ａが設けられた面と反対側の面に加圧されて固定される。また、ＤＭＤボード３１には、照明ホルダ２６の底部に設けられた四つのネジ穴２６ｄ（図２１参照）に、それぞれ嵌め込まれる四つのネジ３４が通される四つの長孔３６が設けられている。
【００２９】
ＤＭＤ３２の画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、先の図１１に示すように、光源１６０からの光を投写レンズ部４に向けて反射する。「ＯＦＦ」のときは、先の図１０に示す照明ホルダ２６の側面に保持されたＯＦＦ光板２７に向けて光源１６０からの光を反射する（図１１の紙面と直交する方向）。従って、各ミラーを個別に駆動することにより、画像データの画素ごとに光の投写を制御することができ、画像を生成することができる。ＯＦＦ光板２７に照射された光は、熱となってＯＦＦ光板２７に吸収され外側の空気の流れで冷却される。
【００３０】
図１３は、光学エンジン部１００を示す斜視図である。投写光学ユニット２は、折り返しミラー５２および防塵ガラス５１を保持するミラーブラケット５３、凹面ミラー５（図１４参照）を覆うように保持する自由ミラーブラケット６とを有している。自由ミラーブラケット６の左右両端には、後方向に延びる穴部６ａが、上下方向に所定の間隔を開けて２個設けられている。ミラーブラケット５３に設けられた爪部５３ａを、これら穴部６ａに嵌め込むことで、自由ミラーブラケット６は、スナップフィットによりミラーブラケット５３に取り付けられている。ミラーブラケット５３は、ベース部材５４に取り付けられている。上記レンズホルダー４１やミラーブラケット５３が取り付けられたベース部材５４が、照明ホルダ２６にネジ止めされる。
【００３１】
図１４は、投写光学ユニット２のミラーブラケット５３と自由ミラーブラケット６とを取り除いた状態を示す斜視図である。投写光学ユニット２は、投写レンズ部４、折り返しミラー５２、凹面ミラー５、防塵ガラス５１などを備えている。凹面ミラー５の光を反射する凹状の反射面は、球面、回転対称非球面、自由曲面形状などにすることができる。
【００３２】
図１５は、投写レンズ部４から投写面Ｓ（スクリーン）までの光路を示す斜視図である。ＤＭＤにより形成された投写画像は、第一光学系である投写レンズ部４を透過し、折り返しミラー５２と凹面ミラー５との間で、ＤＭＤ３２で生成された画像に共役な中間像を形成する。この中間像は、第二光学系である折り返しミラー５２と凹面ミラー５との間に曲面像として結像される。次に、中間像を結像した後の発散する光束は、凹面ミラー５に入射し、収束光束になり、凹面ミラー５により中間像を「さらに拡大した画像」にして投写面Ｓに投写結像する。
【００３３】
このように、投写光学系を、第一光学系と、第二光学系とで構成し、第一光学系と第二光学系の凹面ミラー５との間に中間像を形成し、凹面ミラー５で拡大投写することで、投写距離を短くでき、狭い会議室などでも投写面Ｓに投写画像を大きく表示できる。
【００３４】
このプロジェクタ１は、下側板金部１４ｄ上に照明光学ユニット３が配置されており、その照明光学ユニット３に連結した状態で投写光学ユニット２が固定されている。投写光学ユニット２は、樹脂筐体で構成されており、内部には投写レンズ部４と凹面ミラー５を備えている。前記樹脂筐体の一部である自由ミラーブラケット６は、凹面ミラー５と同様な曲率面を  有した形状で構成されている。また、排気ファン７、メイン電源ユニット８ａ、サブ電源ユニット８ｂ、光源駆動ユニット１２及びプロジェクタ１と着脱可能な光源ユニット１５が、外装板金（上側外装板金１４ａ、前側外装板金１４ｂ、後側外装板金１４ｃ）に内包されるように収容されている。
【００３５】
図１６は照明光学ユニット３の斜視図である。図１７は照明光学ユニット３の側面図である。図１８は、照明ホルダの上部を開放した照明光学ユニットの斜視図。図１９は、照明光学ユニット３を上方から見た図である。図２０は、照明ホルダ２６内から凹面ミラーを取り外した照明光学ユニット３を上方から見た図である。照明ホルダ２６内には、図１８、図１９及び図１２に示す通り、リレーレンズ２３、シリンダミラー２４、凹面ミラー２５などの光学部品が固定されている。また照明ホルダ２６の下部には、ＤＭＤボード３１上に装着されたＤＭＤ３２が、照明ホルダ２６内に露出される開口であるＤＭＤ開口部２６ａが設けられている。そして、ランプ光源から照射された光がリレーレンズ２３、シリンダミラー２４、凹面ミラー２５を通ってＤＭＤ開口部２６ａからＤＭＤに照射されるようになっている。
【００３６】
照明ホルダ２６の開口は、防塵のため、ＤＭＤ開口部２６ａを除き全てカバー部材によって覆われている。カバー部材と照明ホルダ２６との間にはシール部材としてスポンジ等の弾性体が挟まれており密閉性を高めている。なお、図１６においては、照明ホルダ２６の上部の一部分に円形の開口が設けられているが、この円形の開口に上から投写光学ユニット２が差し込まれることで閉塞される。
【００３７】
図２１は、ＤＭＤボード３１との隙間を塞ぐシール部材６０がＤＭＤ開口部２６ａを囲んで設けられた照明ホルダ２６を下方から見た図である。照明ホルダ２６のＤＭＤ開口部２６ａが形成された壁部のＤＭＤボード３１と対向する側の面には、ＤＭＤボード３１との隙間を塞ぐシール部材６０がＤＭＤ開口部２６ａを囲んで設けられている。そして、照明ホルダ２６のＤＭＤ開口部２６ａは、ＤＭＤボード３１とシール部材６０とによって閉塞可能となっている。シール部材６０は、照明ホルダ２６の前記壁部とＤＭＤボード３１とによって圧縮されることで密閉性を高めている。本実施形態においては、シール部材６０としてスポンジ等の弾性部材を用いている。
【００３８】
このように、照明ホルダ２６の壁部に形成された開口は組み立て時に塞がれ、組み立て後の照明ホルダ２６内は密閉される。そのため、ＤＭＤ３２などの主要な光学部品が設置されている照明ホルダ２６内に外から塵埃が侵入することがなく、照明ホルダ２６内に設置されたＤＭＤ３２などの光学部品に塵埃が付着するのを防ぐことができる。
【００３９】
しかしながら、組み立て後の照明ホルダ２６への塵埃侵入を防ぐことはできるものの、組み立て時に照明ホルダ２６内に塵埃が入ってしまう場合がある。例えば、光学部品の取り付け時に部品が削れてゴミが生じたり、工程内の浮遊ゴミが侵入したりすることなどが起こりうる。照明ホルダ２６内は防塵のため密閉されているため、照明ホルダ２６内に一度塵埃が侵入してしまうと、照明ホルダ２６内に塵埃が留まってしまう。そして、照明ホルダ２６内に侵入した塵埃がＤＭＤ３２上に載った場合、１０マイクロメートル程度の微細な塵埃であっても、投影画質に現れてしまう。一方で、組み立て時に塵埃の有無を目視により確認し、その時点で粉塵を全て取り除くことは困難である。したがって、照明ホルダ２６内に塵埃が入ってしまった場合は、組み立て後の画像検査や輝度計測によって塵埃を検出することになる。
【００４０】
なお、投影画像への影響としては、塵埃以外にも、ミラー等の光学部品の曇りがある。これは照明ホルダ２６内が高温になり、内部の化成品からアウトガスが発生し、ミラー等に付着することによる。これは画像投影時に発生するものであるため、組み立て時には検出できない。ミラー等に付着したガスは拭き取りにより除去できる場合がある。
【００４１】
組み立て後の検査によって塵埃が照明ホルダ２６内に入っていることが確認された場合、照明ホルダ２６内を清掃することになる。従来は、照明ホルダ２６内を清掃をするために、照明ホルダ２６からＤＭＤボード３１を取り外しＤＭＤ開口部２６ａを開放させるなどプロジェクタ１を分解していたため、清掃工程に多くの工数がかかっていた。また、ＤＭＤ開口部２６ａなど照明ホルダ２６に設けられた開口を大きく開放させて照明ホルダ２６内の清掃を行うため、照明ホルダ２６内の清掃中にも塵埃が侵入する可能性があり、清掃後に再び照明ホルダ２６内で塵埃が検出される場合もある。
【００４２】
図２２は、閉位置にＤＭＤボード３１が位置する状態での照明光学ユニット３の断面側面図である。図１は、閉位置にＤＭＤボード３１が位置する状態での照明光学ユニット３の断面斜視図である。ＤＭＤボード３１は、図中矢印Ａ方向とその反対方向とに移動可能なように照明ホルダ２６に設けられている。ＤＭＤボード３１には、図中矢印Ａ方向に径が長い長孔３６（図１２参照）が設けられている。そして、その長孔３６を通して照明ホルダ２６の底部に設けられたネジ穴２６ｄ（図２１参照）にネジ３４を嵌め込み締めることで、ＤＭＤボード３１を照明ホルダ２６に固定する。そして、ＤＭＤボード３１を照明ホルダ２６に対して図１中矢印Ａ方向にスライド移動させるときには、図２２中破線で示す締結位置から実線で示す位置までネジ３４を緩めて長孔３６内におけるネジ３４の位置を変更する。これにより、照明ホルダ２６に対するＤＭＤボード３１の固定が解除され、ＤＭＤボード３１を照明ホルダ２６に対して図中矢印Ａ方向にスライド移動させることができる。また、ＤＭＤボード３１には貫通孔３５が設けられており、ＤＭＤボード３１が閉位置に位置した照明ホルダ密閉時には、シール部材６０で囲まれた領域の外側に貫通孔３５が位置している。よって通常時は、照明ホルダ２６は密閉されている。
【００４３】
図２３は、開位置にＤＭＤボード３１が位置する状態での照明光学ユニット３の断面斜視図である。図２４は、ＤＭＤ開口部２６ａの下に貫通孔３５が位置する状態を示す図である。図２２及び図１に示すような閉位置にＤＭＤボード３１が位置する状態から、図２３に示すようにシール部材６０で囲まれた領域内に貫通孔３５が位置する開位置までＤＭＤボード３１をスライド移動させる。本実施形態においては、開位置までＤＭＤボード３１をスライド移動させると、図２４に示すようにＤＭＤ開口部２６ａの下に貫通孔３５が位置し、貫通孔３５から照明ホルダ２６内にノズル等の清掃部材を挿入することが可能となる。
【００４４】
本実施形態では、ＤＭＤ開口部２６ａを塞いでいるＤＭＤボード３１が、照明ホルダ２６に対してスライド移動可能に設けられている。ＤＭＤボード３１に設けられた貫通孔３５がシール部材６０で囲まれた領域内に位置するように、ＤＭＤボード３１を図中矢印Ａ方向にスライド移動させることで、貫通孔３５とＤＭＤ開口部２６ａとを介して照明ホルダ２６内外を連通させることができる。そして、ＤＭＤボード３１の貫通孔３５からノズルなどの清掃部材を照明ホルダ２６内に挿し込むことにより、照明部を分解することなく、照明ホルダ２６の内部を清掃することができる。なお、清掃時に照明ホルダ２６の開口している部分は、貫通孔３５の一箇所だけであるので、空気を噴出して塵埃を飛ばして照明ホルダ２６内を清掃を行うのではなく、塵埃を吸引して照明ホルダ２６内を清掃するのが望ましい。また、吸引によって照明ホルダ２６内を清掃するだけではなく、塵埃を粘着材や静電気により吸着して照明ホルダ２６内を清掃してもよい。また、塵埃の清掃以外にも、アウトガスによって曇りが生じたミラー等を、貫通孔３５から挿入した内視鏡状の拭き取り部材によって清掃することも可能である。また、照明ホルダ２６内の清掃時に、シール部材６０によって囲まれた領域内であってＤＭＤ開口部２６ａの下方に貫通孔３５が位置する位置まで、ＤＭＤボード３１を移動させる。これにより、貫通孔３５から挿入した清掃部材をＤＭＤ開口部２６ａから照明ホルダ２６内まで入れやすくなり、照明ホルダ２６内の清掃をより行いやすくすることが可能となる。
【００４５】
なお、ＤＭＤボード３１の下部にはヒートシンク３３が固定されるため、ＤＭＤボード３１にヒートシンク３３を固定した状態で、ヒートシンク３３の貫通孔３５に対応する位置に、ヒートシンク３３を貫通する貫通孔を設けるのが望ましい。これにより、ＤＭＤボード３１からヒートシンク３３を取り外すことなく、ヒートシンク３３の貫通孔を通してＤＭＤボード３１の貫通孔３５に清掃部材を挿入することができ、清掃時の作業性を向上させることができる。また、照明光学ユニット３は本体筐体１４の下側板金部１４ｄに取り付けられるが、この下側板金部１４ｄにも貫通孔３５や貫通孔に対応する位置に、あらかじめ開口を設けておけば、清掃時の分解を最小限に抑えることができる。
【００４６】
また、照明ホルダ２６に対するＤＭＤボード３１の移動方向は、図２２及び図１で示した方向でなくてもよい。すなわち、照明ホルダ２６に対してＤＭＤボード３１を移動させて、シール部材６０で囲まれた領域内外に貫通孔３５を選択的に位置させることができるように、ＤＭＤボード３１が移動できればよい。なお、図では貫通孔３５としてＤＭＤボード３１に円形の開口を設けているが、貫通孔３５としては円形の開口ではなく、ＤＭＤボード３１を切り欠いてもよい。すなわち、ＤＭＤボード３１の貫通孔３５としては、清掃部材を挿入できれば、どのような形状であってもよい。
【００４７】
以上に説明したものは一例であり、次の態様毎に特有の効果を奏する。
（態様Ａ）
光源１６０などの光源と、前記光源から光を変調して画像を生成するＤＭＤ３２などの画像生成素子を有する光変調部３０などの光変調部と、照明ホルダ２６などの筐体内に光学部品が設けられ前記光学部品によって前記光源からの光を前記画像生成素子に向けて照射する照明部２０などの照明部とを備えたプロジェクタ１などの画像投写装置において、前記筐体の壁部に開けられたＤＭＤ開口部２６ａなどの開口を開閉可能なように、前記筐体に対してスライド移動可能に設けられたＤＭＤボード３１などの開閉部材を有する。
（態様Ａ）においては、前記筐体の開口を塞いでいる部品である開閉部材を、筐体から取り外すことなく、筐体に対してスライド移動させることで前記開口の少なくとも一部分を開けることができる。これにより、前記開口で前記筐体内と外部とを連通させて、清掃手段により筐体内を清掃することができる。よって、前記筐体の開口を塞いでいる部品を前記筐体から取り外して筐体内の清掃を行う場合よりも、前記開口の開閉に要する作業工数を減らすことが可能となる分、清掃作業が煩雑になるのを抑制できる。
（態様Ｂ）
（態様Ａ）において、前記開口開閉部材は、前記画像生成素子が装着されるＤＭＤボード３１などの基板である。これによれば、上記実施形態について説明したように、前記開口開閉部材として前記基板を流用するので、その分、部品点数を減らし低コスト化を図ることができる。
（態様Ｃ）
（態様Ｂ）において、前記筐体の前記開口が形成された壁部の前記基板と対向する側の面に、前記開口の周縁を囲むようにシール部材６０などのシール部材が設けられており、前記基板には貫通孔３５などの貫通孔が形成されており、前記シール部材で囲まれた領域内に前記貫通孔が位置する開位置と、前記シール部材で囲まれた領域外に前記貫通孔が位置する閉位置との間で、前記基板がスライド移動可能である。これによれば、上記実施形態について説明したように、清掃時に前記筐体内に塵埃が入るのを抑制することができる。
（態様Ｄ）
（態様Ａ）乃至（態様Ｃ）のいずれかにおいて、前記筐体に設けられたネジ穴２６ｄなどのネジ穴と、前記基板に設けられたスライド移動方向に径が長い長孔３６などの長孔と、前記長孔を通して前記ネジ穴に嵌め込まれ前記筐体に前記基板を固定するネジ３４などのネジ部材とを有する。これによれば、上記実施形態について説明したように、前記ネジ部材を緩めるだけで前記筐体に対し前記基板をスライド移動させることができる。
【符号の説明】
【００４８】
１        プロジェクタ
２        投写光学ユニット
３        照明光学ユニット
４        投写レンズ部
４ａ      フォーカスレバー
５        凹面ミラー
６        自由ミラーブラケット
６ａ      穴部
７        排気ファン
８        電源ユニット
８ａ      メイン電源ユニット
８ｂ      サブ電源ユニット
１０ａ    吸気口
１２      光源駆動ユニット
１２ａ    バラスト基板
１４      本体筐体
１４ａ    上側板金部
１４ｂ    前側板金部
１４ｃ    後側板金部
１４ｄ    下側板金部
１４ｅ    右側板金部
１５      光源ユニット
１８      操作用開口部
２０      照明部
２１      カラーホイール
２１ａ    カラーモータ
２２      ライトトンネル
２３      リレーレンズ
２４      シリンダミラー
２５      凹面ミラー
２６      照明ホルダ
２６ａ    ＤＭＤ開口部
２６ｂ    脚部
２６ｃ    光源位置決め穴
２６ｄ    ネジ穴
２７      光板
２８      冷却部材
２９      ホイールカバー
２９ａ    貫通孔
３０      光変調部
３１      ＤＭＤボード
３１ａ    ソケット
３２      ＤＭＤ
３３      ヒートシンク
３４      ネジ
３５      貫通孔
４１      レンズホルダー
４１ａ    貫通孔
５１      防塵ガラス
５２      ミラー
５３      ミラーブラケット
５３ａ    爪部
５４      ベース部材
６０      シール部材
７０      光源ハウジング
７０ａ    ハウジング排気口
１００    光学エンジン部
１４１    投写開口部
１４１ｆ  光源着脱用開口部
１４１ｇ  凹部
１５１    光源筐体
１５１ａ  上面部
１５１ｂ  下面部
１５１ｃ  光出射側面部
１５１ｄ  部
１５１ｅ  嵌合突起
１５２    光源排気口
１５３    第二光源吸引口
１５４    コネクタ
１５５ａ  突起
１５６    開口部
１５７    ガラス板
１５８ａ  流入口
１５８ｂ  流出口
１５９    防爆メッシュ
１６０    光源
１６１    リフレクタ
１６２    発光管
１６２ａ  発光部
１６３ａ  電極端子
１６３    電極部
１７０    樹脂板
【先行技術文献】
【特許文献】
【００４９】
【特許文献１】特開２０１５−１５８６４３号公報
【図１】
2017097157.tif 000003
【図２】
2017097157.tif 000004
【図３】
2017097157.tif 000005
【図４】
2017097157.tif 000006
【図５】
2017097157.tif 000007
【図６】
2017097157.tif 000008
【図７】
2017097157.tif 000009
【図８】
2017097157.tif 000010
【図９】
2017097157.tif 000011
【図１０】
2017097157.tif 000012
【図１１】
2017097157.tif 000013
【図１２】
2017097157.tif 000014
【図１３】
2017097157.tif 000015
【図１４】
2017097157.tif 000016
【図１５】
2017097157.tif 000017
【図１６】
2017097157.tif 000018
【図１７】
2017097157.tif 000019
【図１８】
2017097157.tif 000020
【図１９】
2017097157.tif 000021
【図２０】
2017097157.tif 000022
【図２１】
2017097157.tif 000023
【図２２】
2017097157.tif 000024
【図２３】
2017097157.tif 000025
【図２４】
2017097157.tif 000026